(57)【特許請求の範囲】
【請求項１】
全体として略サークル状に繋ぎ合わされるように隣接して設けられた複数の基板と、
前記基板上の、前記基板が繋ぎ合わされる周方向に沿う円周線上に設けられた複数の発光素子と、
を含み、
前記発光素子は、
前記基板が繋ぎ合わされる周方向に隣り合う前記発光素子との間隔が、前記基板が繋ぎ合わされる周方向における前記基板の端部では大きくなり、前記基板が繋ぎ合わされる周方向における前記基板の中心部では小さくなるような周期的なパターンで配置されている、照明装置。
【請求項２】
全体として略サークル状に繋ぎ合わされるように隣接して設けられた複数の基板と、
前記基板上の、前記基板が繋ぎ合わされる周方向に沿う円周線上に設けられた、２つ以上の発光素子を含んで構成される複数の発光素子群と、
を含み、
前記発光素子群は、
前記基板が繋ぎ合わされる周方向に隣り合う前記発光素子群との間隔が、前記基板が繋ぎ合わされる周方向における前記基板の端部では大きくなり、前記基板が繋ぎ合わされる周方向における前記基板の中心部では小さくなるような周期的なパターンで配置されている、照明装置。
【請求項３】
請求項１又は２に記載の照明装置において、
前記発光素子は、アノードとカソードとを含み、
前記基板が繋ぎ合わされる周方向に互いに隣り合う前記発光素子は、アノードの位置とカソードの位置とが、前記発光素子が設けられている前記円周線に対して、左右に入れ替わる向きに配置されている、照明装置。
【請求項４】
請求項１ないし３のいずれか１項に記載の照明装置において、
前記発光素子は、
アノードとカソードとを含み、
同一の前記基板内において、前記アノードの中心と前記カソードの中心とを結ぶ直線が、平行になるように配置されている、照明装置。
【請求項５】
請求項１に記載の照明装置において、
前記発光素子は、アノードとカソードとを含み、
前記基板が繋ぎ合わされる周方向に互いに隣り合う前記発光素子は、前記アノードの中心と前記カソードの中心とを結ぶ直線が、直交するように配置されている、照明装置。
【請求項６】
請求項２に記載の照明装置において、
前記発光素子は、アノードとカソードとを含み、
前記基板が繋ぎ合わされる周方向に互いに隣り合う前記発光素子群は、前記アノードの中心と前記カソードの中心とを結ぶ直線が、直交するように配置されている、照明装置。
【発明の詳細な説明】
【技術分野】
【０００１】
本発明は、照明装置に関する。
【背景技術】
【０００２】
ＬＥＤ（Light Emitting Diode）素子やＥＬ（light-emitting）素子などの発光素子の高出力化、高効率化及び普及化に伴い、光源としてこれらの発光素子を用いた照明装置が開発されている。
【０００３】
このような照明装置の一例として、全体として略サークル状に繋ぎ合わされるように形成された複数の基板に発光素子を配置して構成された照明装置が知られている（特許文献１）。
【先行技術文献】
【特許文献】
【０００４】
【特許文献１】特開２０１２−１５６５１２号公報
【発明の概要】
【発明が解決しようとする課題】
【０００５】
特許文献１に記載された照明装置において、基板の加工精度及び製造効率の観点から、複数の基板を隙間なく配置することは困難である。したがって、照明装置の照度を高めるためにＬＥＤ素子を高密度に配置したり、高効率のＬＥＤ素子を用いたりすると、基板と基板との間が暗く見えるために基板の形状を使用者に看取されることになるので、外観を損ねるという問題があった。
【０００６】
本発明は、以上のような技術的課題に鑑みてなされたものである。本発明のいくつかの態様によれば、外観のよい照明装置を提供することができる。
【課題を解決するための手段】
【０００７】
［適用例１］
本適用例に係る照明装置は、全体として略サークル状に繋ぎ合わされるように形成された複数の基板と、前記基板上の、前記基板が繋ぎ合わされる周方向に沿う円周線上に設けられた複数の発光素子と、を含み、前記発光素子は、前記基板が繋ぎ合わされる周方向に隣り合う前記発光素子との間隔が、前記基板の端部では大きくなり、前記基板の中心部では小さくなるような周期的なパターンで配置されている、照明装置、である。
【０００８】
人間の目は、徐々に変化する明るさの変化には鈍い傾向がある。本適用例によれば、基板が繋ぎ合わされる周方向に隣り合う発光素子との間隔が、基板の端部では大きくなり、基板の中心部では小さくなるので、基板と基板との間の暗さを使用者が感じにくくなる。したがって、外観のよい照明装置を実現できる。
【０００９】
［適用例２］
本適用例に係る照明装置は、全体として略サークル状に繋ぎ合わされるように形成された複数の基板と、前記基板上の、前記基板が繋ぎ合わされる周方向に沿う円周線上に設けられた、２つ以上の発光素子を含んで構成される複数の発光素子群と、を含み、前記発光素子群は、前記基板が繋ぎ合わされる周方向に隣り合う前記発光素子群との間隔が、前記基板の端部では大きくなり、前記基板の中心部では小さくなるような周期的なパターンで配置されている、照明装置、である。
【００１０】
人間の目は、徐々に変化する明るさの変化には鈍い傾向がある。本適用例によれば、基板が繋ぎ合わされる周方向に隣り合う発光素子群との間隔が、基板の端部では大きくなり、基板の中心部では小さくなるので、基板と基板との間の暗さを使用者が感じにくくなる。したがって、外観のよい照明装置を実現できる。
【００１１】
［適用例３］
上述の照明装置において、前記発光素子は、アノードとカソードとを含み、前記基板が繋ぎ合わされる周方向に互いに隣り合う前記発光素子は、アノードの位置とカソードの位置とが、前記発光素子が設けられている前記円周線に対して、左右に入れ替わる向きに配置されていることが好ましい。
【００１２】
発光素子はカソード側で発熱する傾向がある。本適用例によれば、発光素子のアノードの位置とカソードの位置とが、発光素子が設けられている円周線に対して、左右に入れ替わる向きに配置されているので、発熱しやすいカソードが近接しない。したがって、放熱性の高い照明装置を実現できる。
【００１３】
［適用例４］
上述の照明装置において、前記発光素子は、アノードとカソードとを含み、同一の前記基板内において、前記アノードの中心と前記カソードの中心とを結ぶ直線が、平行になるように配置されていることが好ましい。
【００１４】
本適用例によれば、同一の基板内において、アノードの中心とカソードの中心とを結ぶ直線が、平行になるように配置されているので、様々な角度で発光素子が配置されている場合に比べて、製造効率の高い照明装置を実現できる。
【００１５】
［適用例５］
上述の照明装置において、前記発光素子は、アノードとカソードとを含み、前記基板が繋ぎ合わされる周方向に互いに隣り合う前記発光素子は、前記アノードの中心と前記カソードの中心とを結ぶ直線が、直交するように配置されていることが好ましい。
【００１６】
発光素子は、製造バラつきによって、楕円照射などのように配光ムラが生じる場合がある。本適用例によれば、基板が繋ぎ合わされる周方向に互いに隣り合う発光素子は、アノードの中心とカソードの中心とを結ぶ直線が、直交するように配置されているので、配光ムラを互いに打ち消しあう。したがって、配光ムラを抑制した照明装置を実現できる。
【００１７】
［適用例６］
上述の照明装置において、前記発光素子は、アノードとカソードとを含み、前記基板が繋ぎ合わされる周方向に互いに隣り合う前記発光素子群は、前記アノードの中心と前記カソードの中心とを結ぶ直線が、直交するように配置されていることが好ましい。
【００１８】
発光素子は、製造バラつきによって、楕円照射などのように配光ムラが生じる場合がある。本適用例によれば、基板が繋ぎ合わされる周方向に互いに隣り合う発光素子群は、アノードの中心とカソードの中心とを結ぶ直線が、直交するように配置されているので、配光ムラを互いに打ち消しあう。したがって、配光ムラを抑制した照明装置を実現できる。
【図面の簡単な説明】
【００１９】
【図１】本実施形態に係る照明装置１の外観図である。
【図２】本実施形態に係る照明装置１の分解斜視図である。
【図３】本実施形態に係る照明装置１の断面図である。
【図４】第１配置例における、キャップ１１及びカバー１２を取り外した状態を示す照明装置１の平面図である。
【図５】第１配置例における基板１００の平面図である。
【図６】第２配置例における基板１００の平面図である。
【図７】第３配置例における基板１００の平面図である。
【図８】第４配置例における基板１００の平面図である。
【発明を実施するための形態】
【００２０】
以下、本発明の好適な実施例について図面を用いて詳細に説明する。用いる図面は説明の便宜上のものである。なお、以下に説明する実施例は、特許請求の範囲に記載された本発明の内容を不当に限定するものではない。また以下で説明される構成の全てが本発明の必須構成要件であるとは限らない。
【００２１】
１．照明装置の全体構成
図１は、本実施形態に係る照明装置１の外観図である。図２は、本実施形態に係る照明装置１の分解斜視図である。図３は、本実施形態に係る照明装置１の断面図である。なお、上述の図及び後述の図を含む各図において、リード線などによる配線接続関係は省略して示している。また、発光素子の配置については「２．発光素子の配置例」の項で後述されるので、図１〜図３においては発光素子の図示を省略して示している。
【００２２】
本実施形態に係る照明装置１は、シーリングライトとして構成されているが、本発明はこれに限定されず、種々の照明装置に適用できる。
【００２３】
本実施形態に係る照明装置１は、キャップ１１、カバー１２、基板１００、電源カバー１３、電源基板１４、ベース１５、枠１６、スポンジ１７及びアダプター１８を含んで構成されている。図２に示されるように、照明装置１は、アダプター１８、スポンジ１７、枠１６、ベース１５、電源基板１４、電源カバー１３、基板１００、カバー１２、キャップ１１を順に積層するように組み合わせて構成されている。
【００２４】
キャップ１１は、カバー１２と電源カバー１３との接続部分を覆うように設けられている。また、キャップ１１は、カバー１２と接続されて設けられている。
【００２５】
カバー１２は、基板１００に設けられる発光素子の光を拡散しつつ透過するように構成され、基板１００を覆うように設けられている。本実施形態においては、カバー１２は透光性の樹脂製であり、拡散性を有するように乳白色に形成されている。カバー１２は、枠１６と接続されて構成されている。
【００２６】
基板１００は、複数の基板１００が全体として略サークル状に繋ぎ合わされるように形成されるように構成されている。本実施形態においては、照明装置１は、同一形状の８枚の基板１００を含んで構成されている。後述されるように、基板１００には複数の発光素子が設けられる。図２に示される例では、基板１００のカバー１２に近い側の面に発光素子が設けられる。基板１００上における発光素子の配置については「２．発光素子の配置例」の項で後述される。本実施形態においては、基板１００はガラスエポキシ樹脂の平板で構成され、表面に配線パターンが形成されている。基板１００は、ベース１５に接続されて設けられている。
【００２７】
電源カバー１３は、電源基板１４を覆うように設けられている。また、電源カバー１３は、カバー１２及びベース１５と接続されて設けられている。
【００２８】
電源基板１４は、発光素子に供給するための電源回路が基板上に設けられて構成されて
いる。電源基板１４に供給される電力は、照明装置１が取付けられる天井面に設置されたシーリングボディからアダプター１８を介して供給される。電源基板１４は、ベース１５に接続されて設けられている。
【００２９】
ベース１５は、中央部に開口部が設けられたドーナツ状に構成されている。ベース１５は、鉄やアルミニウムなどの放熱性の高い金属で構成されている。これは、基板１００に設けられる発光素子が生ずる熱を速やかに放熱するためである。
【００３０】
枠１６は、リング状に構成されている。枠１６は、鉄やアルミニウムなどの放熱性の高い金属で構成されている。これは、基板１００の設けられる発光素子が生ずる熱を速やかに放熱するためである。枠１６は、カバー１２及びベース１５と接続されて設けられている。
【００３１】
スポンジ１７は、照明装置１が取付けられる天井面などとベース１５との間のクッション材として設けられている。スポンジ１７は、ベース１５と接続されて設けられている。
【００３２】
アダプター１８は、略円筒状に構成され、照明装置１が取付けられる天井面に設置されたシーリングボディと機械的及び電気的に接続される。本実施形態においては、アダプター１８は、爪部１８１及び端子１８２を含んで構成されている。アダプター１８は、爪部１８１をベース１５と係合させることによって、ベース１５と接続されて構成されている。また、アダプター１８は、端子１８２を介してシーリングボディと電気的に接続される。
【００３３】
２．発光素子の配置例
２−１．第１配置例
図４は、第１配置例における、キャップ１１及びカバー１２を取り外した状態を示す照明装置１の平面図である。図４に示されるように、第１配置例における照明装置１は、全体として略サークル状に繋ぎ合わされるように形成された複数の基板１００と、基板１００上の、基板１００が繋ぎ合わされる周方向に沿う円周線上に設けられた複数の発光素子１１０と、を含んで構成されている。第１配置例においては、照明装置１は、８枚の基板１００が繋ぎ合わされて、全体として略サークル状に構成されている。
【００３４】
発光素子１１０は、ＬＥＤ素子やＥＬ素子などの発光素子である。本実施形態においては、発光素子１１０は、ＬＥＤ素子である。また、本実施形態においては、発光素子１１０は、表面実装型のＬＥＤ素子である。なお、発光素子１１０として、砲弾型のＬＥＤ素子やＣＯＢ（Chip On Board）型のＬＥＤ素子を採用してもよい。
【００３５】
図５は、第１配置例における基板１００の平面図である。図５において、発光素子１１０の端部のうち、カソード側が黒塗り領域で表示され、アノード側が白塗り領域で表示されている。また、図５において、円周線の一例が点線で示されている。
【００３６】
図５に示されるように、第１配置例において、発光素子１１０は、基板１００が繋ぎ合わされる周方向に隣り合う発光素子１１０との間隔が、基板１００の端部では大きくなり、基板１００の中心部では小さくなるような周期的なパターンで配置されている。図５に示される例では、同一の円周上に設けられた発光素子１１０は、基板１００の端部から中心部に向かって、互いに隣り合う発光素子１１０の間隔が単調減少するような周期的なパターンで配置されている。すなわち、図５に示される例では、同一の円周上に設けられた発光素子１１０は、基板１００の端部における互いに隣り合う発光素子１１０の間隔が最も広くなり、基板１００の中心部における互いに隣り合う発光素子１１０の間隔が最も狭くなるように配置されている。本発明はこれに限定されず、隣り合う発光素子１１０との
間隔が増加と減少とを繰り返すような周期的なパターンであってもよい。
【００３７】
人間の目は、徐々に変化する明るさの変化には鈍い傾向がある。第１配置例によれば、基板１００が繋ぎ合わされる周方向に隣り合う発光素子１１０との間隔が、基板１００の端部では大きくなり、基板１００の中心部では小さくなるので、互いに隣り合う基板１００との間の暗さを使用者が感じにくくなる。したがって、外観のよい照明装置１を実現できる。
【００３８】
図５に示されるように、発光素子１１０は、アノード１１０ａとカソード１１０ｃとを含み、基板１００が繋ぎ合わされる周方向に互いに隣り合う発光素子１１０は、アノード１１０ａの位置とカソード１１０ｃの位置とが、発光素子１１０が設けられている円周線に対して、左右に入れ替わる向きに配置されていることが好ましい。
【００３９】
発光素子１１０はカソード１１０ｃ側で発熱する傾向がある。第１配置例によれば、発光素子１１０のアノード１１０ａの位置とカソード１１０ｃの位置とが、発光素子１１０が設けられている円周線に対して、左右に入れ替わる向きに配置されているので、発熱しやすいカソード１１０ｃが近接しない。したがって、放熱性の高い照明装置１を実現できる。
【００４０】
図５に示されるように、発光素子１１０は、アノード１１０ａとカソード１１０ｃとを含み、同一の基板１００内において、アノード１１０ａの中心とカソード１１０ｃの中心とを結ぶ直線が、平行になるように配置されていることが好ましい。図５においては、アノード１１０ａの中心とカソード１１０ｃの中心とを結ぶ直線の一例が一点鎖線で表示されている。図５に示される例では、同一の基板１００内に配置されている全ての発光素子１１０において、アノード１１０ａの中心とカソード１１０ｃの中心とを結ぶ直線が、平行になるように配置されている。
【００４１】
第１配置例によれば、同一の基板１００内において、アノード１１０ａの中心とカソード１１０ｃの中心とを結ぶ直線が、平行になるように配置されているので、様々な角度で発光素子１１０が配置されている場合に比べて、製造効率の高い照明装置１を実現できる。
【００４２】
２−２．第２配置例
図６は、第２配置例における基板１００の平面図である。図６において、発光素子１１０の端部のうち、カソード側が黒塗り領域で表示され、アノード側が白塗り領域で表示されている。また、図６において、円周線の一例が点線で表示されている。なお、第１配置例と同様の構成については同一の符号を付し、詳細な説明を省略する。
【００４３】
図４に示される第１配置例の照明装置１と同様に、図６に示される基板１００も、複数枚をつなぎあわせて全体として略サークル状に構成される。すなわち、第２配置例における照明装置１は、全体として略サークル状に繋ぎ合わされるように形成された複数の基板１００と、基板１００上の、基板１００が繋ぎ合わされる周方向に沿う円周線上に設けられた、２つ以上の発光素子１１０を含んで構成される複数の発光素子群１１０ｇと、を含んで構成されている。第２配置例においても、照明装置１は、８枚の基板１００が繋ぎ合わされて、全体として略サークル状に構成されている。
【００４４】
図６に示される例では、発光素子群１１０ｇは、２つの発光素子１１０を含んで構成されている。発光素子群１１０ｇに含まれる２つの発光素子１１０は、互いに発光色の異なる発光素子、例えば、それぞれ昼白色の発光素子と電球色の発光素子とすることができる。図６においては、昼白色の発光素子が白塗り領域で表示され、電球色の発光素子が網か
け領域で表示されている。照明装置１は、昼白色の発光素子及び電球色の発光素子を、それぞれ単独で、又は、両者の輝度を適宜調整して混合した状態で、点灯させてもよい。これによって、昼白色から電球色までの様々な色合いの光を放射できる照明装置１を実現できる。また、図６に示される例では、発光素子群１１０ｇ内の発光素子１１０の間隔が、互いに隣り合う発光素子群１１０ｇとの間隔よりも小さい。これによって、色合いを変化させても発光位置の変化が小さい照明装置１を実現できる。
【００４５】
図６に示されるように、第２配置例において、発光素子群１１０ｇは、基板１００が繋ぎ合わされる周方向に隣り合う発光素子群１１０ｇとの間隔が、基板１００の端部では大きくなり、基板１００の中心部では小さくなるような周期的なパターンで配置されている。図６に示される例では、基板１００の端部から中心部に向かって、互いに隣り合う発光素子群１１０ｇの間隔が単調減少するような周期的なパターンで配置されている。すなわち、図６に示される例では、同一の円周上に設けられた発光素子群１１０ｇは、基板１００の端部における互いに隣り合う発光素子群１１０ｇの間隔が最も広くなり、基板１００の中心部における互いに隣り合う発光素子群１１０ｇの間隔が最も狭くなるように配置されている。本発明はこれに限定されず、隣り合う発光素子群１１０ｇとの間隔が増加と減少とを繰り返すような周期的なパターンであってもよい。
【００４６】
人間の目は、徐々に変化する明るさの変化には鈍い傾向がある。第２配置例によれば、基板１００が繋ぎ合わされる周方向に隣り合う発光素子群１１０ｇとの間隔が、基板１００の端部では大きくなり、基板１００の中心部では小さくなるので、互いに隣り合う基板１００との間の暗さを使用者が感じにくくなる。したがって、外観のよい照明装置１を実現できる。
【００４７】
図６に示されるように、発光素子１１０は、アノード１１０ａとカソード１１０ｃとを含み、基板１００が繋ぎ合わされる周方向に互いに隣り合う発光素子１１０は、アノード１１０ａの位置とカソード１１０ｃの位置とが、発光素子１１０が設けられている円周線に対して、左右に入れ替わる向きに配置されていることが好ましい。
【００４８】
発光素子１１０はカソード１１０ｃ側で発熱する傾向がある。第２配置例によれば、発光素子１１０のアノード１１０ａの位置とカソード１１０ｃの位置とが、発光素子１１０が設けられている円周線に対して、左右に入れ替わる向きに配置されているので、発熱しやすいカソード１１０ｃが近接しない。したがって、放熱性の高い照明装置１を実現できる。
【００４９】
図６に示されるように、発光素子１１０は、アノード１１０ａとカソード１１０ｃとを含み、同一の基板１００内において、アノード１１０ａの中心とカソード１１０ｃの中心とを結ぶ直線が、平行になるように配置されていることが好ましい。図６においては、アノード１１０ａの中心とカソード１１０ｃの中心とを結ぶ直線の一例が一点鎖線で表示されている。図６に示される例では、同一の基板１００内に配置されている全ての発光素子１１０において、アノード１１０ａの中心とカソード１１０ｃの中心とを結ぶ直線が、平行になるように配置されている。
【００５０】
第２配置例によれば、同一の基板１００内において、アノード１１０ａの中心とカソード１１０ｃの中心とを結ぶ直線が、平行になるように配置されているので、様々な角度で発光素子１１０が配置されている場合に比べて、製造効率の高い照明装置１を実現できる。
【００５１】
２−３．第３配置例
図７は、第３配置例における基板１００の平面図である。図７において、発光素子１１
０の端部のうち、カソード側が黒塗り領域で表示され、アノード側が白塗り領域で表示されている。また、図７において、円周線の一例が点線で表示されている。なお、第１配置例と同様の構成については同一の符号を付し、詳細な説明を省略する。また、本項においては、主として第１配置例と相違する点について説明する。
【００５２】
図４に示される第１配置例の照明装置１と同様に、図７に示される基板１００も、複数枚をつなぎあわせて全体として略サークル状に構成される。第３配置例においても、照明装置１は、８枚の基板１００が繋ぎ合わされて、全体として略サークル状に構成されている。
【００５３】
図７に示されるように、第３配置例において、発光素子１１０は、アノード１１０ａとカソード１１０ｃとを含み、基板１００が繋ぎ合わされる周方向に互いに隣り合う発光素子１１０は、アノード１１０ａの中心とカソード１１０ｃの中心とを結ぶ直線が、直交するように配置されている。図７においては、アノード１１０ａの中心とカソード１１０ｃの中心とを結ぶ直線の一例が一点鎖線で表示されている。
【００５４】
発光素子１１０は、製造バラつきによって、楕円照射などのように配光ムラが生じる場合がある。第３配置例によれば、基板１００が繋ぎ合わされる周方向に互いに隣り合う発光素子１１０は、アノード１１０ａの中心とカソード１１０ｃの中心とを結ぶ直線が、直交するように配置されているので、配光ムラを互いに打ち消しあう。したがって、配光ムラを抑制した照明装置１を実現できる。
【００５５】
２−４．第４配置例
図８は、第４配置例における基板１００の平面図である。図８において、発光素子１１０の端部のうち、カソード側が黒塗り領域で表示され、アノード側が白塗り領域で表示されている。また、図８において、円周線の一例が点線で表示されている。なお、第２配置例と同様の構成については同一の符号を付し、詳細な説明を省略する。また、本項においては、主として第２配置例と相違する点について説明する。
【００５６】
図４に示される第１配置例の照明装置１と同様に、図８に示される基板１００も、複数枚をつなぎあわせて全体として略サークル状に構成される。第４配置例においても、照明装置１は、８枚の基板１００が繋ぎ合わされて、全体として略サークル状に構成されている。
【００５７】
図８に示されるように、第４配置例において、発光素子１１０は、アノード１１０ａとカソード１１０ｃとを含み、基板１００が繋ぎ合わされる周方向に互いに隣り合う発光素子群１１０ｇは、アノード１１０ａの中心とカソード１１０ｃの中心とを結ぶ直線が、直交するように配置されている。図８においては、アノード１１０ａの中心とカソード１１０ｃの中心とを結ぶ直線の一例が一点鎖線で表示されている。また、図８に示されるように、同一の発光素子群１１０ｇに含まれる発光素子１１０においては、アノード１１０ａの中心とカソード１１０ｃの中心とを結ぶ直線が、平行に配置されている。
【００５８】
発光素子１１０は、製造バラつきによって、楕円照射などのように配光ムラが生じる場合がある。第４配置例によれば、基板１００が繋ぎ合わされる周方向に互いに隣り合う発光素子群１１０ｇは、アノード１１０ａの中心とカソード１１０ｃの中心とを結ぶ直線が、直交するように配置されているので、配光ムラを互いに打ち消しあう。したがって、配光ムラを抑制した照明装置１を実現できる。
【００５９】
以上、本実施形態あるいは変形例について説明したが、本発明はこれら本実施形態あるいは変形例に限られるものではなく、その要旨を逸脱しない範囲において種々の態様で実
施することが可能である。
【００６０】
本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。
【符号の説明】
【００６１】
１…照明装置、１１…キャップ、１２…カバー、１３…電源カバー、１４…電源基板、１５…ベース、１６…枠、１７…スポンジ、１８…アダプター、１００…基板、１１０…発光素子、１１０ａ…アノード、１１０ｃ…カソード、１１０ｇ…発光素子群、１８１…爪部、１８２…端子
【要約】
【課題】外観のよい照明装置を提供すること。
【解決手段】照明装置１は、全体として略サークル状に繋ぎ合わされるように形成された複数の基板１００と、基板１００上の、基板１００が繋ぎ合わされる周方向に沿う円周線上に設けられた複数の発光素子１１０と、を含み、発光素子１１０は、基板１００が繋ぎ合わされる周方向に隣り合う発光素子１１０との間隔が、基板１００の端部では大きくなり、基板１００の中心部では小さくなるような周期的なパターンで配置されている。
【選択図】図４【図２】
0005416293.tif 000002
【図３】
0005416293.tif 000003
【図４】
0005416293.tif 000004
【図５】
0005416293.tif 000005
【図６】
0005416293.tif 000006
【図７】
0005416293.tif 000007
【図８】
0005416293.tif 000008
【図１】
0005416293.tif 000009